(57)【特許請求の範囲】
【請求項１】
シートに形成されている画像を、スキャンして取得する画像取得部と、
前記画像取得部により取得される画像から、該画像の色材付着量を算出する演算部と、
前記シートに既に形成されている矢印形状の所定マークを検出する検出部と、
前記演算部により算出される色材付着量に応じた長さの矢印形状の所定マークを、前記検出部により検出される既存マークの矢印先端位置に矢印終端がくるように、且つ前記既存マークと同じ方向となるように追加して前記シートに形成する形成部と、
を有するマーク形成装置。
【請求項２】
請求項１に記載のマーク形成装置において、
前記シートに形成されている画像は、消色器で消色することができる色材で形成されており、前記所定マークは、前記消色器で消色されない色材で形成されている
マーク形成装置。
【請求項３】
請求項２に記載のマーク形成装置において、
前記画像取得部は、前記消色器での消色前に前記画像を取得し、
前記検出部は、前記消色器での消色後に、前記シートに形成されている既存の所定マークを検出し、
前記形成部は、前記消色器での消色後のシートに、前記所定マークを形成する
マーク形成装置。
【請求項４】
請求項２に記載のマーク形成装置において、
前記画像取得部は、前記消色器での消色前に前記画像を取得し、
前記検出部は、前記消色器での消色前に、前記シートに形成されている既存の所定マークを検出し、
前記形成部は、前記消色器での消色後のシートに、前記所定マークを形成する
マーク形成装置。
【請求項５】
請求項１乃至４のいずれか１項に記載のマーク形成装置において、
前記画像取得部は、前記シートの表面、裏面に形成されている画像を取得し、
前記演算部は、前記表面、前記裏面の画像それぞれの色材付着量を算出し、
前記検出部は、前記表面、前記裏面ごとに、既存の所定マークを検出し、
前記形成部は、前記表面、前記裏面それぞれのシート面に、その面に対応した所定マークを形成する
マーク形成装置。
【請求項６】
請求項１乃至５のいずれか１項に記載のマーク形成装置において、
前記画像取得部は、前記シートの表面、裏面に形成されている画像を取得し、
前記演算部は、前記表面、前記裏面の画像それぞれのシート劣化量を算出し、
前記検出部は、前記表面、前記裏面のうち一方の面に形成されている、前記表面、前記裏面の所定マークを検出し、
前記形成部は、前記検出部により検出される前記表面の所定マークに、前記表面の色材付着量に応じた形状の所定マークを前記一方の面に追加で形成し、前記裏面の所定マークに、前記裏面の色材付着量に応じた形状の所定マークを、前記一方の面に追加で形成する
マーク形成装置。
【発明の詳細な説明】
【技術分野】
【０００１】
この明細書に記載の実施形態は、リユースによるシートの劣化を使用者に確認させる技術に関する。
【背景技術】
【０００２】
一定温度以上で加熱することで消色する色材があり、この色材を消色トナーとして用い、シートに印刷する画像形成装置がある。また、使用済みのシートについては、上記一定温度以上でシートを加熱することでシートのリユースを図る消色装置がある。これらの装置により、シート使用による環境負荷を削減することができる。
【０００３】
シートは、繰り返し使用されることにより劣化するが、この蓄積されるシートの劣化を管理する画像形成装置もある。
【０００４】
関連する技術として、以下の文献が開示されている。
【先行技術文献】
【特許文献】
【０００５】
【特許文献１】特開２００７−１７８５２７号公報
【発明の概要】
【発明が解決しようとする課題】
【０００６】
しかしながら、従来の技術では特定の機器を用いないと使用者がシートの劣化度合いを判別できない。
【０００７】
本実施形態は上述した問題点を解決するためになされたものであり、シート劣化についての情報を使用者に容易に提供でき、使用者も容易に確認することが可能となる技術を提供することを目的とする。
【課題を解決するための手段】
【０００８】
本実施形態のマーク形成装置は、画像取得部と、演算部と、検出部と、形成部とを有する。画像取得部は、シートに形成されている画像を、スキャンして取得する。演算部は、画像取得部により取得される画像から、画像の色材付着量を算出する。検出部は、シートに既に形成されている所定マークを検出する。形成部は、演算部により算出される色材付着量に応じた形状の所定マークを、検出部により検出される既存の所定マークに追加してシートに形成する。
【０００９】
本実施形態の画像形成装置は、画像取得部と、演算部と、形成部とを有する。画像取得部は、シートに形成する画像を取得する。演算部は、画像取得部により取得される画像から、画像の色材付着量を算出する。形成部は、演算部により算出される色材付着量を示す情報を、シートに形成する。
【図面の簡単な説明】
【００１０】
【図１】記録媒体再生装置の構成例を示す図である。
【図２】記録媒体再生装置が形成する劣化マーク（所定マーク）の形状を矢印とした場合の一例を示す図である。
【図３】第１実施形態の構成例を示すブロック図である。
【図４】第１実施形態の動作例を示すフローチャートである（その１）。
【図５】第１実施形態の動作例を示すフローチャートである（その２）。
【図６】第１実施形態の動作例を示すフローチャートである（その３）。
【図７】第１実施形態の動作例を示すフローチャートである（その４）。
【図８】（Ａ）は、各ユニットの配置例を示す図である（直列配置）。（Ｂ）は、各ユニットの配置例を示す図である（センサ流用）。
【図９】マークの射影の一例を示す図である。
【図１０】劣化マーク（所定マーク）の形状を円マークとする場合の一例を示す図である。
【図１１】表面、裏面の劣化マークを一方面に形成した場合の一例を示す図である。
【図１２】劣化マークをホールパンチとする場合のブロック図を示す図である。
【図１３】劣化マークをホールパンチとする場合のマーク形成の一例を示す図である。
【図１４】第２実施形態の構成例を示すブロック図である。
【図１５】第２実施形態の動作例を示すフローチャートである（その１）。
【図１６】第２実施形態の動作例を示すフローチャートである（その２）。
【図１７】（Ａ）は、アローヘッドのパターン画像の一例を示す図である（上向き矢印）。（Ｂ）は、アローヘッドのパターン画像の一例を示す図である（下向き矢印）。
【図１８】劣化マークの射影の一例を示す図である。
【図１９】第３実施形態の動作例を示すフローチャートである（その１）。
【図２０】第３実施形態の動作例を示すフローチャートである（その２）。
【図２１】第３実施形態の動作例を示すフローチャートである（その３）。
【図２２】第３実施形態の動作例を示すフローチャートである（その４）。
【図２３】第３実施形態のシートを複数領域に分割して処理するときの分割例と劣化マークの形成例を示す図である。
【図２４】（Ａ）は、第４実施形態の構成例を示す図である（排出先切り替え）。（Ｂ）は、第４実施形態の構成例を示す図である（シート面反転）。
【図２５】（Ａ）は、第５実施形態の劣化マーク形成例を示す図である（×印）。（Ｂ）は、第５実施形態の劣化マーク形成例を示す図である（文字列）。
【図２６】第５実施形態の劣化マーク形成例を示す図である（一部不形成）。
【図２７】表示部が表示する設定画面の一例を示す図である。
【図２８】画像形成装置の構成例を示す図である。
【図２９】（Ａ）は、第７実施形態の画像形成装置が像形成する一例を示す図である（原画像）。（Ｂ）は、第７実施形態の画像形成装置が像形成する一例を示す図である（数字重畳）。（Ｃ）は、第７実施形態の画像形成装置が像形成する一例を示す図である（ＱＲコード重畳）。
【発明を実施するための形態】
【００１１】
以下の各実施形態の装置は、シートの劣化度合いを使用者が特別な機器を使用しなくても確認することができ、シートの劣化度合いからリユースの限度を知ることができる。また以下の各実施形態では、主に消色装置で動作する実装例について説明するが、消色機能付きの画像形成装置が行うものとしてもよい。
【００１２】
一つの態様として、装置は、消去前にシートをスキャンして、スキャン画像の画素値に基づき、現在形成されている像のトナー付着量（色材付着量）を算出する。装置は、シートをスキャンして、シート劣化度合いを示すマークを検出し、前回の印刷・消去までに蓄積されたシート劣化度合い（色材付着の累積量）を算出する。
【００１３】
トナー付着量は、現在シート上にある像を形成することによって生じたシート劣化量とすることができる。
【００１４】
装置は、像消去後に、算出したトナー付着量（すなわちシート劣化量）に応じた形状のマークをシートに形成する。既にマークが形成されている場合は、新規マークはその既存マークに追加するように形成される。
【００１５】
また一つの態様として、装置は、画像のスキャンを消去前に行うが、マークを検出するためのスキャンは消去後に行う。マーク以外は消去されているため、マークの検出が容易となる。また別の態様として、装置は、消去前のスキャンで取得した画像で、トナー付着量の算出とマーク検出の両方を行う。すなわち、画像のスキャンとマークの検出を一つのスキャンユニットで行う。この態様により消去後のスキャンが不要となる。この場合、印刷内容とマークとを判別するために、消去可能トナーとシート劣化マークの色の違いを利用する。また印刷内容とマークとを判別するために、シート劣化を示すマークの印刷位置を限定する。
【００１６】
一つの態様として、シート劣化を表すマークの形状は、印刷回数と、１回当たりのシート劣化度合いと、蓄積されたシート劣化度合いが見た目でわかるようにする。例えばマークの形状は矢印形状であり、本装置は、１回消去するたびに、算出されるトナー付着量に応じた長さの矢印を既存のマークに追加で形成する。矢印マークは、既存の矢印マークの終端位置（矢印のアローヘッド）に、新設の矢印マークの始端がくるように、また既存の矢印マークの向きと新設の矢印マークとが同じ向きとなるように形成される。これにより、矢印の本数（マーク形状は累積的に連続した形状となるが、本数は、形成されるアローヘッドが区切り印となることから求められる）でリユース回数を示すことができ、矢印の長さ（総長さ）でトナー付着の累積量を示すことが可能となる。また別の例として、本装置は、マークを同心円で表現し、算出されるトナー付着量に応じて円の半径を大きくする。装置は、新規の円マークの半径を、既存の円マークの最外郭の半径長にトナー付着量に応じた長さを加えた長さにし、また同心円（中心が既存の円マークと一致）となるように新規の円マークを形成する。これにより、円周の数でリユース回数を示すことができ、円の大きさでシート劣化の累積量を示すことが可能となる。さらなる例として、マークの代わりにシートに穴を空け、トナー付着量に応じて穴同士の間隔を広げる、という実装も可能である。穴の数でリユース回数を示すことができ、穴の位置でトナー付着量を示すことが可能となる。
【００１７】
一つの態様として、装置は、シートの両面にシート劣化を表すマークを印刷する。また一方で、使用者にシートの裏表を意識してシート供給させる運用の場合には、シート両面のシート劣化度合いを示すマークを、片面のみに印刷する。
【００１８】
一つの態様として、装置は、累積されたシート劣化度合いからシートの排出先を切り替える。また装置は、シート裏表の劣化度量の大小を比較し、劣化度量の小さい面が、次回の印刷面となるよう上に向くようにシートを反転させて排出する。
【００１９】
さらに、一つの態様として、装置は、リユースの限界に達した場合は、その旨を示すマークをシート上に印刷する。これにより使用者は、本シートはこれ以上は再利用に不適切であると確認することができる。また一つの態様として、装置は、劣化度検出を調整するユーザインターフェイスを提供する。
【００２０】
ここで、各実施形態の概要を説明する。
第１実施形態：消去前にスキャンしてトナー付着量を把握し、消去後のスキャンで矢印を検出する実装例を説明する。また、シートの右端にトナー付着量に応じた長さの矢印を追記していき、裏表両面のトナー付着量をそれぞれの面に記録する実装例を説明する。また検出対象のマークとして矢印ではなく同心円を印刷する例、および裏表両面のトナー付着量を片面に印刷する例、穿孔を開ける例についても説明する。
第２実施形態：矢印の検出も消去前に実行する実装例を説明する。これにより、スキャン回数を１回に減らすことができる。第２実施形態では、消色トナーと矢印との色の違いを利用する実装例と、マークを予め決められた位置に打つことで消去前でも矢印を検出することが可能な実装例を説明する。
第３実施形態：シート全体を任意の領域に分け、領域ごとにトナー付着量を記録する実装例を説明する。
第４実施形態：トナー付着の累積量に応じて排出先トレイを切り替え、裏表の劣化度の差を検出して上面が劣化度の少ない面となるようシートを反転させて排出する実装例を説明する。
第５実施形態：シートがリユース限界となったことを利用者に示す実装例を説明する。第５実施形態では、限界を超えた時には×印や”利用不可”と印刷する実装例や、限界を超えた時には回数マーク（例：矢印）がシートをはみ出させて印刷する実装例を説明する。
第６実施形態：劣化度検出を調整するユーザインターフェイスを提供する。一例として、回数のみ／劣化度の切り替え設定や、劣化度の閾値調整を行うことが可能なユーザインターフェイスについて説明する。
第７実施形態：画像形成装置側で、消色トナーで劣化マークを印刷する実装例を説明する。印刷時に劣化度合いを記録するため、劣化度合いがより正確になる。
【００２１】
（装置構成）
図１は各実施形態における記録媒体再生装置（消色装置）のハードウェア概略構成を示すブロック図である。
【００２２】
画像形成された記録媒体（シート）上の画像を消去してリユース可能な状態にする記録媒体再生装置において、記録媒体再生装置１００は、画像消去を行いたいシートをセットするリユースシート供給カセット１０、供給されたシートの厚さや異物などを検出する消去可否判定部５、一定温度以上に加熱して消去処理を行う消去部６、消去後のシートがリユース可能な状態かどうかを判定するリユース判定部７を有する。
【００２３】
また記録媒体再生装置１００は、消去後にリユース可能と判定されたシートをスタックしておくリユースシートスタックカセット１１、消去可否判定部５で消去不可と判定されたシートやリユース判定部７でリユース不可と判定されたシートをスタックしておくリジェクトシートスタックカセット１２を有している。さらに記録媒体再生装置１００は、使用者が選択可能なジョブのモードや、設定値等を使用者から取得するための画面を表示しておく表示部４、表示されたジョブのモード等、使用者からの入力を受け付けるタッチパネル式操作部２、ボタン操作が可能なボタン式操作部３、ユーザの個人認証を行うＩＣカードリーダ１を有している。
【００２４】
記録媒体再生装置１００は、シートを、像消去前、消去後にスキャンする１つまたは複数のスキャナセンサ９を有する。スキャナセンサ９から取得されるスキャンデータに基づき、リユース判定部７はリユースの判定を行う。またスキャナセンサ９は、消色部６では消去不可能な色材で印刷するマーク印刷部９Ａを具備している。
【００２５】
記録媒体再生装置１００内の各デバイスは、制御部１４にて制御されている。制御部１４は、ジョブ履歴、消去枚数、リジェクト枚数などのデータを、ユーザ単位・部門単位・曜日単位・週単位・月単位など、さまざまな単位で記録しておくことができる記憶部１３（メモリやハードディスクドライブ等）を具備している。また制御部１４は、記憶部１３に予め導入されているプログラムを演算実行するプロセッサ８を具備している。記憶部１３やプロセッサ８は、制御部１４の盤上に設けられている。また制御部１４は、例えばＬＡＮ回線などを通じてネットワークサーバや画像形成装置などの外部装置２０との情報送受信を行うことができる。
【００２６】
上記装置構成を踏まえ、以下に、各実施形態について説明する。尚、上記装置構成以外の構成については、各実施形態の中で説明する。
【００２７】
（第１実施形態）
第１実施形態では、シート劣化の度合いとしてシートに累積されたトナー付着量を算出し、シートに印刷することで使用者が特別な機器などを使用しなくてもシート劣化がわかるようにする。尚、トナー付着量が多くなると、当該リユースシートに再度印刷する際、画像形成装置本体でジャムが発生する場合があり、また印刷時に転写不良、定着不良が生じる場合がある。このようなリユースシートに起因する不具合も、第１実施形態の態様により緩和させることができる。
【００２８】
また、第１実施形態では、１回当たりのトナー付着量を矢印の長さで表現し、シートに印刷する。記録媒体再生装置１００は、矢印が上向きになる方向を順方向とし、当該ページの右端に、印刷や消去が繰り返されるたびに上方向に矢印を追加で印刷する。
【００２９】
図２に具体的な印刷例を示す。記録媒体再生装置１００は、シート右端の余白部に矢印を印刷する。各矢印の長さは、各回のトナー付着量に応じて決定される。図２に示すように、記録媒体再生装置１００のマーク印刷部９Ａは、シートのリユース限界を明示する線や、シート劣化度合いの進捗の目安を示す目盛を印刷してもよい。リユース限界を示す線は、例えば予め決められた値や計算式により位置決めされる。
【００３０】
第１実施形態の動作の例を図３のブロック図、および図４〜図７のフローチャートを用いて説明する。
【００３１】
まず、シートから画像を消去する前に、その内容を保存するために、第１の画像読取部３１がシートの両面を読み取る。第１の画像読取部３１の具体的な例として、ＣＩＳセンサ（あるいはＣＣＤセンサ）をシート搬送路内にてシートを挟むように配置する。まずＡＣＴ００１にて第１の画像読取部３１が表ページを読み取り、第１の画像信号を入力し、ＡＣＴ００２にて第１の画像読取部３１が第１の画像信号を記憶部１３へ転送する。
【００３２】
次にＡＣＴ００３にて第１の画像読取部３１が裏ページの画像を読み取り、第２の画像信号を入力し、ＡＣＴ００４にて第２の画像信号を記憶部１３へ転送する。
【００３３】
次に、ＡＣＴ００５にて画像劣化検出部３３が第１の画像信号から表ページのトナー付着量を算出する。尚、画像劣化検出部３３は、プロセッサがプログラムを演算実行することで実現される。
【００３４】
まず画像劣化検出部３３は、第１の画像信号の各画素のＲＧＢ信号と輝度閾値ｔｈＲ、ｔｈＧ、ｔｈＢとを比較し、下式に当てはまる画素を非白画素として抽出する。
（Ｒ＜ｔｈＲ）ｏｒ（Ｇ＜ｔｈＧ）ｏｒ（Ｂ<ｔｈＢ）
ここでＲ、Ｇ、Ｂは各画素のＲＧＢ信号値、ｔｈＲ、ｔｈＧ、ｔｈＢは予め決められたＲＧＢの輝度閾値である。
【００３５】
次に、画像劣化検出部３３は、抽出した非白画素数Ｎｂをカウントし、総画素数Ｎｔとの比（Ｒａｔｅ１）をトナー付着量として算出する。
Ｒａｔｅ１=Ｎｂ÷Ｎｔ×１００［％］
【００３６】
ＡＣＴ００６にて画像劣化検出部３３が第２の画像信号に対しても同様の処理を行い、裏ページのトナー付着量Ｒａｔｅ２を算出する。
【００３７】
次に、ＡＣＴ００７にて消去部６がシート上のトナーを消色する。消去部６は、例えばヒートローラ２つにより構成され、この２つのローラを配置し、シートがそのローラ間を通ることでシート両面のトナーを消色することが可能である。
【００３８】
次に、第２の画像読取部３２が消去後のシート媒体の両面を読み取る。第２の画像読取部３２は、第１の画像読取部３１と同様にＣＩＳセンサ（あるいはＣＣＤセンサ）をシート搬送路内にてシートを挟むように配置する構成となる。第１の画像読取部３１と同様に、ＡＣＴ００８、ＡＣＴ００９にて第２の画像読取部３２が消去後のシートの表ページを読み取り、第３の画像信号を入力し、記憶部１３へ転送する。さらに、ＡＣＴ０１０、ＡＣＴ０１１にて第２の画像読取部３２が消去後のシートの裏ページを読み取り、第４の画像信号を入力し、記憶部１３へ転送する。尚、第２の画像読取部３２と第１の画像読取部３１とは同じセンサを用いても良いし、異なるセンサを用いても良い。具体的には、図８Ａに示すように、第１の画像読取部３１と消去部６と第２の画像読取部３２とを直線的に配置して、第１の画像読取部３１と第２の画像読取部３２は別々のセンサとする構成でも良い。あるいは、図８Ｂに示すように、シートが第１の画像読取部３１と消去部６に搬出された後に、第１の画像読取部３１の入力側へ戻るようなシート搬送路を設計し、第１の画像読取部３１と第２の画像読取部３２とを同じセンサとする構成でも良い。
【００３９】
次に、ＡＣＴ０１２にて劣化マーク検出部３４（プロセッサ８がプログラムを演算実行することで実現）が、第３の画像信号から既存のシート劣化マークを検出する。具体的な検出方法を以下に記す。
【００４０】
まず、第３の画像信号の左右のシート端領域の各画素のＲＧＢ信号と、輝度閾値ｔｈＲ、ｔｈＧ、ｔｈＢとを比較し、下式に当てはまる画素を非白画素として抽出する。
（Ｒ＜ｔｈＲ）ｏｒ（Ｇ＜ｔｈＧ）ｏｒ（Ｂ＜ｔｈＢ）
ここでＲ、Ｇ、Ｂは各画素のＲＧＢ信号値であり、ｔｈＲ、ｔｈＧ、ｔｈＢは予め決められたＲＧＢの輝度閾値である。
【００４１】
ここで、シート端領域からのみ非白画素を抽出した理由は、本例では矢印はシート右端に印刷されるとしていたためであり、左右の両端から非白画素を抽出した理由は、シートが上下逆さまに挿入される機会が十分にあるため、これを考慮するためである。
【００４２】
次に、左右両端の領域において主走査方向に非白画素の射影をとる（具体的には、各副走査ラインにおいて、主走査方向に非白画素の数をカウントする）。印刷されていた矢印と射影との関係を図９に示す。図９に示した通り、射影の値がＸ方向０の箇所は白画素のみが存在する。またＸ方向に小さな正の値をとる箇所は矢印が存在することを示している。また、ピークはアローヘッドを示しているので、ピークの数と位置を求めることで、矢印の数と位置とを特定することが可能となる。また、ピークの位置が矢印の上端部分にあれば、シートが順方向に挿入されて矢印が上向きであることを示しており、反対に、ピークの位置が矢印の下端部分にあれば、シートが逆方向に挿入されて矢印が下向きとなっていることを示している。また、射影のＸ方向の値が全て０の場合は、矢印がないことを示しており、左右両方の領域で矢印が検出されなかった場合は、そのシートが新規シートであるとみなすことができる。
【００４３】
以上の方法により、劣化マーク検出部３４は、ＡＣＴ０１３にて劣化マークの有無判定を行い、劣化マークがある場合（ＡＣＴ０１３、Ｙｅｓ）、次工程の劣化マーク印刷のために、ＡＣＴ０１４にて既存の劣化マークである矢印の向きと、既存の劣化マークの終端座標（x0, y0）を検出する。同様にして、第４の画像信号からも劣化マークを検出し、既存の劣化マークの矢印の向きと終端座標を検出する（ＡＣＴ０１５〜ＡＣＴ０１７）。
【００４４】
最後に、劣化マーク記録部３５にてシート劣化マークを追加記録する。劣化マーク記録部３５の具体的な実装例としては、ドキュメントスキャナ（図１のスキャナセンサ９）のオプションとして一般に広く使用されているサーマルインクジェット（図１のマーク印刷部９Ａ）などを使用することができる。このサーマルインクジェットを、図８Ａ、図８Ｂに示すようにシート搬送路の両面から挟むように配置することで、シート両面に印刷することが可能となる。まず、表ページに対して、画像劣化検出部３３により得られたトナー付着量Ｒａｔｅ１［％］から矢印の長さを計算する。ここは単純に予め決めておいた１％辺りの画素数ｌｅｎとの掛け算から矢印の長さ（画素数）Ｌを計算する
Ｌ=Ｒａｔｅ１×ｌｅｎ［画素］
【００４５】
ＡＣＴ０１８にて、表ページに劣化マークがある場合、劣化マーク記録部３５は、ＡＣＴ０１９にて、劣化マーク検出部３４にて得られた既存の劣化マークの位置情報から追記する位置を決定して印刷する。例えば、劣化マークの終端が（ｘ０，ｙ０）であり、上方向の矢印であった場合、劣化マーク記録部３５は（ｘ０，ｙ０）と（ｘ０，ｙ０−Ｌ）の間に線分を印刷し、さらに（ｘ０，ｙ０−Ｌ）と（ｘ０−α，ｙ０−Ｌ＋α）および（ｘ０＋α，ｙ０−Ｌ＋α）を頂点とする三角形の内側を塗りつぶすことでアローヘッド部分を印刷する（ここでαは予め決められた長さ）。反対に、下方向の矢印であった場合は、劣化マーク記録部３５は、（ｘ０，ｙ０）と（ｘ０，ｙ０＋Ｌ）との間に線分を印刷し、（ｘ０，ｙ０＋Ｌ）と（ｘ０−α，ｙ０＋Ｌ−α）および（ｘ０＋α，ｙ０＋Ｌ−α）を頂点とする三角形の内側を塗りつぶすことで追加した矢印を印刷する。尚、ここでの印刷は、消去不可能なトナーで印刷するものとする。裏ページに対しても同様の処理を行うことで劣化マークを追加で印刷することが可能となる（ＡＣＴ０２１−Ｙｅｓ、ＡＣＴ０２２）。
【００４６】
また、ＡＣＴ０１８にて劣化マーク検出部３４で矢印が検出されなかった場合（すなわち、当該ページに印刷された履歴がなかった場合）、ＡＣＴ０２０にて予め決められていた位置（ここでは（ｘ０，ｙ０）とする）を始点とする長さＬの上向きの矢印を印刷する。更に、リユースに耐えられる累積トナー付着量の最大値Ｒｍａｘ［％］を予め求め、例えば（ｘ０−β，ｙ０−Ｒｍａｘ×ｌｅｎ）と(ｘ０＋β，ｙ０−Ｒｍａｘ×ｌｅｎ)の間に線分を引くことで、シートリユースの限度を使用者に分かりやすく表示することが可能となる（図２参照）。
【００４７】
同様の処理をシート裏面にも施すことで裏表両面のシート劣化度合いを示すことが可能となる（ＡＣＴ０２１−Ｎｏ、ＡＣＴ０２３）。
【００４８】
また、ここまではシートの劣化度合いを示すマークとして矢印を用い、矢印の本数と長さでシートの劣化度合いを示す例を示した。他の例としては、例えば図１０に示すように、マークとして同心円を使用することも考えられる。すなわち、シートの劣化度合いの累積量を半径とすることで、円周の数が印刷回数を表し、最外郭の円周の半径が劣化度合いの累積量を示すこととなる。
【００４９】
劣化マーク記録部３５は、今回記録する円マークの半径が、既存の円マークの最外郭の半径長にトナー付着量に応じた長さを加えた長さとなるように円マークを形成する。また劣化マーク記録部３５は、同心円（中心が既存の円マークと一致）となるように新規の円マークを形成する。
【００５０】
なお、ここまではシートの劣化度合いを示すマークを裏表両面に記録する例、すなわち、表面の劣化度合いは表面にマークし、裏面の劣化度合いは裏面にマークする例を説明した。しかし、図１１に示すように、劣化マークの印刷を一方面のみとし、使用者に対して、劣化マークが記録された面を決められた向き（例えば上向き）にして、リユースシート供給カセット１０に配置することを求めれば、シート片面に処理を施すことのみで、シート両面の劣化度合いを管理することが可能である。
【００５１】
具体的には、劣化マーク記録部３５は、シートの下端を劣化マークの始点とし、上方向の矢印を追加で記録していく。シートの右端を表面のシート劣化を表す領域とし、左端を裏面のシート劣化を表す領域とする。劣化マーク検出部３４が上向きの矢印を検出した場合には、シートは順方向にセットされたと判定できるので、シート右端領域で矢印を検出し、劣化マーク記録部３５が既存のマークの上方向に、表面のシート劣化度を示す長さの上向き矢印を追加で記録する。また劣化マーク検出部３４がシート左端領域で矢印を検出し、劣化マーク記録部３５が既存のマークの上方向に裏面のシート劣化度を示す長さの上向き矢印を追加で記録する。反対に、劣化マーク検出部３４が下向きの矢印を検出した場合には、シートが上下さかさまにセットされたと判定できるので、劣化マーク検出部３４がシート左端領域において矢印を検出し、劣化マーク記録部３５が既存のマークの下方向に表面のシート劣化度を示す長さの下向き矢印を追加で記録する。また劣化マーク検出部３４がシート右端領域において矢印を検出し、劣化マーク記録部３５が既存のマークの下方向に裏面のシート劣化度を示す長さの下向き矢印を追加する。このようにすることで、図１２に示すように、第２の画像読取部３２、劣化マーク記録部３５（マーク印刷部９Ａ）をシート両面ではなくシート片面のみに配置させるが可能となり、裏表両面のシート劣化度合いを管理することが可能となる。
【００５２】
さらに、劣化マークとしてシートに印刷するのではなく、穿孔を開けることも考えられる。例えば図１３に示すように、シートの下端を始点とし、シートの右側に当該面のシート劣化を示す穿孔（ホールパンチ）を開け、シートの左側に反対面のシート劣化を示す穿孔を開ける。前述までの矢印の長さの代わりに穿孔同士の間隔によりシート劣化度合いが示される。ここで、劣化マーク検出部３４により検出された穿孔がシート上端を始点としていた場合、上下逆さまにシートが供給されたと判定できるので、左側の穿孔をシート表面の劣化を示すマークとみなし、右側の穿孔をシート裏面の劣化を示すマークとみなすことができる。更に、このように穴を開ける領域を決めておくと、シートのどちらの面に注目した場合においても、常に注目面のシート劣化を表す穿孔はシート右端であり、裏面のシート劣化を表す穿孔はシート左端である。以上で説明した通り、穿孔を用いることで、使用者はシートをリユースシート供給カセット１０にセットする際に、シートの表裏を意識する必要がなく、かつ、第２の画像読取部３２、劣化マーク記録部３５をシート片面のみに設置することで、裏表両面のシート劣化度合いを管理することが可能である（配置例は図１２と同様）。尚、この場合の劣化マーク記録部３５は、ホールパンチユニットとなる。
【００５３】
また、シート劣化を示すマークの印刷や穿孔は、シートの搬送方向に沿って行われることが好ましい。このようにすることで、劣化マーク記録部３５やホールパンチユニットを記録媒体再生装置１００に固定して取り付ける（図示しない）ことができ、劣化マーク記録部３５やホールパンチユニットを移動させる機構が不要となる。
【００５４】
以上のような構成をとることにより、シートの劣化度合いを示すマークをシート上に記録することが可能となり、使用者が特別な機器を使用せずにシートの劣化度合いを判定することが可能となる。
【００５５】
（第２実施形態）
第２実施形態の実装例を図１４のブロック図と図１５〜図１６のフローチャートを用いて説明する。第２実施形態と第１実施形態とで大きく異なる点は、シート劣化度合いを検出するための第１の画像信号を用いて、劣化マークの検出も行う点である。この違いにより、第２実施形態では、劣化マークを読み取るための第２の画像読取部３２を有さない点と、劣化マーク検出部３４が消去部６と並列（消去部６の前でもよい）の構成となる。
【００５６】
第２実施形態の第１の態様として、消去可能トナーと劣化マークの色が異なる実装例について説明する。具体的には、消去可能トナーは青色であり、劣化マークが黒色で印刷されるものとする。
【００５７】
まず、第１実施形態と同様に、ＡＣＴ１０１〜ＡＣＴ１０４にて、第１の画像読取部３１がシート両面を読み取り、第１の画像信号、第２の画像信号を入力し、記憶部１３に転送する。
【００５８】
次に、ＡＣＴ１０５にて画像劣化検出部３３が第１の画像信号から表面のトナー付着量を算出する。ここで、消去可能トナーは青色であることから、たとえば下式の条件全てに当てはまる画素を青色画素として抽出する。
Ｂ−Ｒ＞ｔｈＢＲ
Ｂ−Ｇ＞ｔｈＢＧ
Ｒ＜ｔｈＲ
Ｇ＜ｔｈＧ
ここで、Ｒ、Ｇ、Ｂは画素のＲＧＢ値であり、ｔｈＢＲ、ｔｈＢＧは予め決められている十分に大きな値である。また、ｔｈＲ、ｔｈＧは予め決められている０に近い正の値である。
【００５９】
次に、抽出した青画素数Ｎｂをカウントし、総画素数Ｎｔとの比（Ｒａｔｅ１）をトナー付着量として算出する。
Ｒａｔｅ１＝Ｎｂ÷Ｎｔ×１００［％］
【００６０】
同様にして、ＡＣＴ１０６にて画像劣化検出部３３が第２の画像信号から裏面のトナー付着量Ｒａｔｅ２［％］を算出する。
【００６１】
次に、ＡＣＴ１０７にて劣化マーク検出部３４が第１の画像信号から表面に記録されている劣化マークを検出する。ここで、劣化マークが黒色で記録されていることから、例えば下式全てに当てはまる画素を黒画素として抽出する。
Ｒ＋Ｇ＋Ｂ＜ｔｈＲＧＢ
｜Ｒ−Ｇ｜＜ｔｈＲＧ
｜Ｇ−Ｂ｜＜ｔｈＧＢ
｜Ｂ−Ｒ｜＜ｔｈＢＲ
ここで、Ｒ、Ｇ、Ｂは画素のＲＧＢ値。「｜」は絶対値を表す記号である。またｔｈＲＧＢ、ｔｈＲＧ、ｔｈＧＢ、ｔｈＢＲは予め決められた、十分小さな正の値とする。
【００６２】
ＡＣＴ１０８にて劣化マークの有無が判定され、劣化マークがある場合、ＡＣＴ１０９にて、第１実施形態における劣化マーク検出部３４と同様に表面の既存の劣化マークの向きと終端座標を検出する。またシートの裏面に対しても第２の画像信号に対して上記劣化マーク検出処理を施すことで、既存の劣化マークの向きと終端座標を検出することができる（ＡＣＴ１１０〜ＡＣＴ１１２）。
【００６３】
ＡＣＴ１１１−Ｎｏ、またはＡＣＴ１１２以降は、消去部６および劣化マーク記録部３５の動作であるが、第１実施形態のＡＣＴ０１８〜ＡＣＴ０２３と同様動作であるため説明は割愛する（図７参照）。
【００６４】
以上で説明したとおり、シート消去後に画像読み取りを行わずに累積されたシート劣化を示すマークをシートに記録することが可能となる。
【００６５】
引き続き、第２実施形態の第２の態様として、原稿が印刷される領域の外側（シートの端）を特定領域とし、この位置に劣化マークを記録する例を説明する。
【００６６】
まず、第１実施形態と同様に、第１の画像読取部３１によりシート両面を読み取り、第１の画像信号、第２の画像信号を入力する。
【００６７】
次に、第１の実施形態と同様に画像劣化検出部３３が第１の画像信号から表面のトナー付着量Ｒａｔｅ１［％］を、第２の画像信号から裏面のトナー付着量Ｒａｔｅ２［％］を算出する。
【００６８】
次に、劣化マーク検出部３４が既存の劣化マークの向きと終端座標を検出する。劣化マーク検出部３４は、まずは第１の画像信号の各画素のＲＧＢ信号と輝度閾値ｔｈＲ、ｔｈＧ、ｔｈＢとを比較し、下式に当てはまる画素を黒画素、そうでない画素を白画素とする２値画像を抽出する。
（Ｒ＜ｔｈＲ）ｏｒ（Ｇ＜ｔｈＧ）ｏｒ（Ｂ＜ｔｈＢ）
ここで、Ｒ、Ｇ、Ｂは各画素のＲＧＢ信号値であり、ｔｈＲ、ｔｈＧ、ｔｈＢは予め決めておいたＲＧＢの輝度閾値である。
【００６９】
次に劣化マーク検出部３４は、予め劣化マークを記録すると決められている領域（上記の特定領域）に対して、劣化マークの検出を行う。この第２の態様では、図１７Ａに示すアローヘッドのテンプレート画像を事前に準備し、記憶部１３に記憶させておく。劣化マーク検出部３４は、抽出した２値画像の劣化マークが記録された特定領域で、テンプレート画像を１画素ずつずらしてマッチングをとる。具体的には、２値画像の画素をＰｂ、テンプレート画像の画素をＰｔとおいたときに、劣化マーク検出部３４は下式を計算する。
Σ！ＥＸＯＲ（Ｐｂ，Ｐｔ）
ここで、白画素を０、黒画素を１とする。また、「！」は否定を示し、ＥＸＯＲはＥｘｃｌｕｓｉｖｅ  ＯＲを示す論理式とする。
【００７０】
劣化マーク検出部３４は、テンプレートの位置ごとの上記マッチングの値の分布を取得することで、そのピークの位置がアローヘッドの位置と特定することができる。また、図１７Ａの例で示した上向きのアローヘッドのマッチング結果を取得することで、ピークが存在する場合は上向きの矢印が存在するとみなせるため、これにより矢印の向きを特定することができる。また、先に特定できているアローヘッドの位置のうち、最も上側に配置されているアローヘッドの座標が既存の劣化マークの終端座標と特定できる。当然、シートが上下逆さまにカセットにセットされた場合には上向き矢印は検出されない。このときは図１７Ｂに示す下向きのアローヘッドのテンプレート画像を準備し、同様の手順でアローヘッドの位置を特定する。この場合、終端座標は最も下側に配置されているアローヘッドの位置となる。
【００７１】
尚、このままでは劣化マークの始点の座標を知ることができないため、本態様では、図１８に示すように、特定領域において、矢印の向きに沿った方向に射影をとる。ここで射影のピークの値は、矢印の長さの総和と一致するため、終点座標とこの矢印の長さの総和から始点座標も算出できる。
【００７２】
以降の消去部６および劣化マーク記録部３５の動作は、第１実施形態と同様動作であるため説明は割愛する。
【００７３】
なお、第２実施形態の上記第２態様の劣化マーク検出部３４は、第１実施形態と比較して計算コストが高いテンプレートマッチングを採用している。これは、原稿が印刷されにくいシートの端部を劣化マークの記録領域と決めてはいるが、第１実施形態と異なり消去可能トナーが未だ消色されていないため、この端部領域に原稿の印刷部分が混入される場合も多いと考えられるためである。その場合、第１実施形態で説明したように単純に射影をとるだけでは劣化マークを検出できないため、テンプレートマッチングにて検出するものとした。当然、第１実施形態でもテンプレートマッチンクで行ってもよいし、また第２実施形態の第１態様でも行ってもよい。
【００７４】
以上のような構成をとることにより、消去済みシートのスキャンを行わずに、シートの劣化度合いを示すマークをシート上に記録することが可能となり、使用者が特別な機器を使用せずにシートの劣化度合いを判断することが可能となる。
【００７５】
（第３実施形態）
第３実施形態の動作例を、図１９〜図２２のフローチャートを用いて説明する。尚、ブロック図は第１実施形態と同様である（図３参照）。第３実施形態では、シート劣化マークはシート全体のシート劣化を表すのではなく、シートを領域に分割して各領域についてシート劣化を表現する。これは、例えば一部が高濃度で、他の領域は白紙であるような原稿をコピー（あるいはプリント）した場合、シート全体ではトナー付着量が少ないが、ある特定の箇所でトナー付着量が多くなる。トナー付着量が多い箇所ではシートカールなどが生じる場合がある。第３実施形態は、この状況を緩和するための実装例である。
【００７６】
領域分割の一例を図２３に示す。図２３の例は、シート全体を４つの領域Ｒ１〜Ｒ４に区分した図である。左右両端に記録される矢印は、それぞれの領域に対応した矢印となる。
【００７７】
具体的な動作の手順を示す。まず、第１実施形態と同様に、ＡＣＴ２０１〜ＡＣＴ２０４にて第１の画像読取部３１がシートの表面を第１の画像信号、裏面を第２の画像信号として入力する。
【００７８】
次に、ＡＣＴ２０５にて、画像劣化検出部３３が各領域のトナー付着量を第１の画像信号に基づき算出する。
【００７９】
まず、画像劣化検出部３３は第１の画像信号の全領域に対して画素のＲＧＢ信号と輝度閾値ｔｈＲ、ｔｈＧ、ｔｈＢとを比較し、下式に当てはまる画素を非白画素として抽出する。
（Ｒ＜ｔｈＲ）ｏｒ（Ｇ＜ｔｈＧ）ｏｒ（Ｂ＜ｔｈＢ）
ここで、Ｒ、Ｇ、Ｂは各画素のＲＧＢ信号値であり、ｔｈＲ、ｔｈＧ、ｔｈＢは予め決めておいたＲＧＢの輝度閾値である。
【００８０】
次に画像劣化検出部３３は、領域Ｒ１から非白画素数Ｎｂ１をカウントし、領域Ｒ１の総画素数Ｎｔ１から領域Ｒ１のトナー付着量Ｒａｔｅ１１を下式により算出する。
Ｒａｔｅ１１＝Ｎｂ１÷Ｎｔ１×１００［％］
【００８１】
他の領域についても同様に、画像劣化検出部３３はトナー付着量Ｒａｔｅ１２、Ｒａｔｅ１３、Ｒａｔｅ１４を求め、さらに、ＡＣＴ２０６にて、シート裏面に関しても同様にＲａｔｅ２１、Ｒａｔｅ２２、Ｒａｔｅ２３、Ｒａｔｅ２４を求める。
【００８２】
次に、ＡＣＴ２０７にて、第１実施形態と同様に消去部６がシート上のトナーを消色する。また第１実施形態と同様に、ＡＣＴ２０８〜ＡＣＴ２１１にて第２の画像読取部３２がシートの表面画像を第３の画像信号、裏面を第４の画像信号として入力する。
【００８３】
次に、ＡＣＴ２１２にて、劣化マーク検出部３４が領域ごとに記録されている劣化マークを検出し、その有無を判定する。まず、第３の画像信号の全領域に対して画素のＲＧＢ信号と輝度閾値ｔｈＲ、ｔｈＧ、ｔｈＢとを比較し、下式に当てはまる画素を非白画素として抽出する。
（Ｒ＜ｔｈＲ）ｏｒ（Ｇ＜ｔｈＧ）ｏｒ（Ｂ＜ｔｈＢ）
ここで、Ｒ、Ｇ、Ｂは各画素のＲＧＢ信号値であり、ｔｈＲ、ｔｈＧ、ｔｈＢは予め決めておいたＲＧＢの輝度閾値である。次に劣化マーク検出部３４は、劣化マークが有る場合、ＡＣＴ２１４にて第１実施形態と同様に各領域に決められた箇所に対する射影をとることで劣化マークの向きと終端座標を検出する。決められた箇所とは、例えば当該領域のシート端に沿った箇所であり、具体的には第１領域の左上と右下の頂点座標がそれぞれ（０，０）と（Ｘ０，Ｙ０）である場合、決められた箇所は、（Ｘ１，Ｙ１）と（Ｘ２，Ｙ２）をそれぞれ左上と右下の頂点の座標とする長方形の箇所とする（領域内の左上端を原点座標とする場合、Ｘ１、Ｙ１は十分に小さな正の値、Ｘ２はＸ１＜Ｘ２＜Ｘ０を満たす小さめの正の値、Ｙ２はＹ１＜Ｙ２＜Ｙ０を満たす十分大きな正の値である。
【００８４】
同様にして、劣化マーク検出部３４は、第２領域、第３領域、第４領域に対しても劣化マークの検出、および向きと終端座標を検出する（ＡＣＴ２１５−Ｎｏ、ＡＣＴ２２０、ＡＣＴ２１２のループ処理）。また、表シートと同様にして、劣化マーク検出部３４は、第４の画像信号を用いて、シート裏面の各領域から劣化マークの検出、劣化マークが有る場合は劣化マークの向きと終端座標を検出する（ＡＣＴ２１６〜ＡＣＴ２１９、ＡＣＴ２２１）。
【００８５】
次に、劣化マーク記録部３５は、各領域にそれぞれのトナー付着量Ｒａｔｅ１１［％］、Ｒａｔｅ１２［％］、Ｒａｔｅ１３［％］、Ｒａｔｅ１４［％］に対応する長さの矢印を記録する。領域が分割されていること、および各領域に対して矢印を記録すること以外は、第１実施形態と同様なので説明は割愛する。すなわち、ＡＣＴ２２２〜ＡＣＴ２２４は、図７のＡＣＴ０１８〜ＡＣＴ０２０の処理を領域単位で行う処理であり、ＡＣＴ２２６〜ＡＣＴ２２８は、図７のＡＣＴ０２１〜ＡＣＴ０２３の処理を領域単位で行う処理である。領域ごとに処理を行う制御として、表ページについてはＡＣＴ２２５、ＡＣＴ２３０の動作があり、裏ページについてはＡＣＴ２２９、ＡＣＴ２３１の動作がある。
【００８６】
以上で説明した通り、シート全体ではなく領域に分割してシート劣化度合いを示すマークを記録することで、さらに正確にシートの劣化度合いを示すことが可能となる。
【００８７】
また、上記例では、シート全体で一様な閾値を用いて、非白画素を検出する動作の説明をした。しかし、シートカールに着目すると、全体的に一様なカールよりもシート端だけで極端にカーブしているカールの方が画像形成装置本体でのトラブル（シート切れ、破れ。シート詰まりなど）を起しやすい。そこで、例えば、シート端からの距離が予め決められた長さＬ以内の画素については、シートの内側に使用される閾値よりも大きな値であるｔｈＲ’（＞ｔｈＲ）、ｔｈＧ’（＞ｔｈＧ）、ｔｈＢ’（＞ｔｈＢ）を用いることで、シート端を非白画素として抽出しやすくすることも考えられる。また、トナー付着量を計算する際、上記例では単純に非白画素数を数えているだけである。しかし、例えばシート端からの距離がＬ以内の画素については、非白画素１つにつき重み係数ｗ（＞１）を加算することも考えられる。このような処理を施すことで、シート内部に印刷されるよりも、シート端に印刷される方がよりシート劣化が進んだことを示すことが可能となる。
【００８８】
（第４実施形態）
第４実施形態の動作例を説明する。第４実施形態はシート劣化を示すマークを検出した後のシート排出に関しての実装例である。
【００８９】
第４実施形態では、劣化マークを記録した後、マークの累積劣化度合いに応じてシートの排出トレイを切り替える。これは、次にシートを再利用して印刷する際に使用者が用途に応じてシートを使い分けることがありうるからである。例えば、テキスト中心の画像を印刷するのであれば、トナー付着量の増加は少ないので、環境負荷軽減の観点から劣化が進んでいるシートを積極的に使用することが考えられる。反対に、プレゼン資料や写真など、トナー付着量が多い画像を印刷するのであれば、使用者はジャムや転写不良、定着不良を防ぐために劣化が少ないシートを使用するということが考えられる。
【００９０】
上記各実施形態で説明したように、劣化マーク検出部３４により、例えば記録された矢印の長さの総和（既存のマークと新設マークとの合算）から蓄積されたシートの劣化度合いを知ることができる。そこで、例えば矢印の総和長さＬ（既存のマークと今回形成するマークとの合算長さ）と予め決めておいた長さの基準値ｔｈＬ１、ｔｈＬ２（ｔｈＬ１＜ｔｈＬ２）との比較結果から、次の３通りに排出トレイを切り替えることが考えられる。なお、裏表両面で矢印の長さは当然異なるので、この場合は長いほうの総和Ｌが用いられる。また、第３実施形態のようにシートを領域に分割した場合には、全領域の中で一番長い矢印の総和をＬとして用いられる。
Ｌ＜ｔｈＬ１の場合：  比較的劣化が軽微なリユースシートを集めるカセットに排出する。
ｔｈＬ１＜Ｌ＜ｔｈＬ２の場合：  リユースは可能だが劣化が進んでいるシートを集めるカセットに排出する。
ｔｈＬ２＜Ｌの場合：  リユースできない（リユース不適合）のカセットに排出する。
【００９１】
具体的には、上記各実施形態に記載した記録媒体再生装置１００のシート搬送路の最後尾に、図２４Ａに示すように排出先として３種類のカセットを配置する。すなわち第４実施形態では、比較的劣化が軽微なシートを集めるリユースシートスタックカセット１１Ａ、劣化が進んでいるシートを集めるリユースシートスタックカセット１１Ｂ、および使用不可能なシートを集めるリジェクトシートスタックカセット１２を配置する。
【００９２】
またシート搬送路にはゲート爪を配置し、ソレノイドの通電（オン）、非通電（オフ）でゲート爪の角度を制御する。ソレノイドへの通電／非通電は上記した通り、矢印の長さの総和Ｌと基準値ｔｈＬ１、ｔｈＬ２との関係により制御される。図２４Ａでは、ソレノイドがオフの時のゲート爪は点線の角度であり、オンのときは実線の角度であるとする。すなわち、第４実施形態では、制御部１４は排出先カセットを選択するために、矢印の長さをもとに下記の通りソレノイドの通電を制御する。
Ｌ＜ｔｈＬ１の場合：  ソレノイド１、ソレノイド２ともにオン（実線）とする。
ｔｈＬ１＜Ｌ＜ｔｈＬ２の場合：  ソレノイド１をオフ（点線）、ソレノイド２をオン（実線）とする。
ｔｈＬ２＜Ｌの場合：  ソレノイド１、ソレノイド２をともにオフ（点線）とする。
【００９３】
また、この実装例の別形態として、シートの表面と裏面のシート劣化度（既存のマークと新設マークとの合算値）を比較し、シート劣化が軽微な方を常に上側にして（シート劣化が軽微な面が同じ向きとなるようにして）トレイに排出する、とする実装も可能である。これは、次回の印刷はシート劣化が軽微な面に印刷されやすくするためであり、シートカールを小さく押さえるためである。シートカールは、シートが過熱後冷却されることでトナーが収縮し、そのトナーにシートが引っ張られることが発生要因の一つである。また、シートの両面のトナー付着量が同程度であれば、シートは両面から同じ力で引っ張られるため、シートカールは軽減する。そこで、次の印刷を累積トナー付着量が少ない面に行うことで、シート両面のトナー付着量の差をできるだけ小さくすることでシートカールを抑えることができる。
【００９４】
上記各実施形態で説明した通り、例えば記録された矢印の長さの総和から、裏表いずれの面でシート劣化が進んでいるかを知ることができる。そこで、図２４Ｂに示すように、表面のシート劣化が軽微の場合にはシートをそのままトレイに排出する。裏面のシート劣化が軽微の場合には、シートをスイッチバックする機構を設けて、表裏をひっくり返してトレイに排出する。図２４Ｂの例では、１つだけ記したソレノイドがオフの時のゲート爪は点線の角度であり、オンのとき実線の角度であるとする。また、図２４Ｂに１つだけ記したシート搬送ローラは、順方向と逆方向へ回転方向を制御できるものとする。たとえば、表面のシート劣化が軽微な場合はソレノイドをオン（実線）とし、直線的にトレイに排出する。一方、裏面のシート劣化が軽微な場合には、まずソレノイドをオフ（点線）にしてシートを上方向に搬送させる。その際、制御部１４からの信号に応じて、デフォルトでは反時計回りに回転しているシート搬送ローラを、シートの後端がゲート爪を通過したところで時計回りに回転するよう回転方向を逆転させる。これにより、シートの裏表を反転させてトレイに排出することが可能となる。
【００９５】
以上で説明した通り、第４実施形態で説明した方法で排出先トレイを切り替える、あるいは、シート劣化度に応じてシート裏表を揃えて排出することが可能となる。
【００９６】
（第５実施形態）
第５実施形態では、使用者が劣化度合いの限界に達したことを視認しやすいように、マークを印刷する実装例について説明する。尚、ブロック図は第１実施形態と同様である（図３参照）。
【００９７】
最初に第５実施形態の第１の態様について説明する。まずは、上記各実施形態と同様にしてシートの劣化度を検出する。劣化度合いがあらかじめ決めていた劣化閾値を超えていた場合には、劣化マーク記録部３５は、ユーザが直感的に利用不可とわかるマークを印刷する。具体的には図２５Ａ、図２５Ｂに示すように、第１実施形態〜第４実施形態で次の矢印マークを印刷していた位置に、“×”マーク、あるいは、“再利用不可”という文字を印刷して、これ以上再利用できないことを示す。
【００９８】
第２の態様について説明する。この態様では、図２６に示すように、累積した劣化度合いが再利用の限界を超えた場合に劣化度合いを示す矢印マークがシート外へはみ出させる。図２６には、はみ出した部分についても示されているが、当該はみ出し箇所については、当然シート上に印刷されない。これによりユーザが直感的に当該シートが再利用の限界を超えたことを理解できる。そのための劣化度合いを示す矢印マークの長さＬａは下記式より算出される。この演算は制御部１４（プロセッサ８）が行う。
Ｌａ＝Ｐｔ×Ｌｐ／Ｔｈｒ
ここで、Ｐｔは検出したトナー付着率、Ｌｐはシート長さ、Ｔｈｒは累積トナー付着率の再利用不可基準値を示す。
【００９９】
具体例を示す。シートがＡ４サイズ（シート長さ＝２９７ｍｍ）、累積トナー付着率の再利用不可基準値を１００％、今回検出したトナー付着率を２０％とすると、今回印刷すべき矢印の長さＬａは
Ｌａ＝２０［％］×２９７［ｍｍ］／１００［％］＝５９．４［ｍｍ］
と求まる。例えば、それぞれの印刷時においてトナー付着率２０％、２５％、２０％、２５％、１５％で印刷された場合、図２６に示すように５回目の矢印がシートをはみ出してしまい、ユーザも直感的に再利用できないことを理解できる。
【０１００】
以上で説明したとおり、第５実施形態によれば、使用者が特別な機器を使用せずにより直感的にシートが再利用できるか否かを判断することが可能となる。
【０１０１】
（第６実施形態）
第４実施形態において、シート劣化度によりシートの排出先を切り替える実装例を説明した。しかし、ユーザによって、許容できる劣化度合いが異なることが考えられる。また、ユーザによっては単に利用回数だけで判断したいということもありうる。
【０１０２】
そこで、第６実施形態では、ユーザが再利用不可の判定基準を調整できるユーザインターフェイスを提供する。図２７に、表示部４での表示例（判定基準調整画面）を示す。判定基準調整画面には、判定基準切り替えボタンＤ１があり、本例ではこのラジオボタンにより、単純に繰り返し回数のみで再利用可能か否かを判定するか、あるいは、累積トナー付着量などを考慮したシート劣化度により、再利用可能か否かを判定するかを切り替えることが可能となる。
【０１０３】
判定基準切り替えボタンＤ１により、繰り返し回数を判定基準とした場合、ユーザは更に調整部Ｄ２により何回印刷、消去を繰り返したシートを再利用不可とするか調整することが可能である。ここで調整した値は表示領域Ｄ３に表示される。第１実施形態と同様動作により求められるシートに印刷されている劣化マークの個数と、入力される再利用不可の繰り返し回数とを制御部１４が比較し、当該シートが再利用可能か否かを判定する。
判定基準切り替えボタンＤ１により、シート劣化度を判定基準とした場合、ユーザは更に調整部Ｄ４によりシート劣化度を用いた再利用可能か不可能かの判定基準を調整することが可能である。第１実施形態と同様動作により求められる、シートに印刷されている矢印の長さの総和からシート劣化度を導き、このシート劣化度と入力される再利用不可と判定する基準のシート劣化度とを制御部１４が比較して、当該シートが再利用可能か否かを判定することが可能である。
【０１０４】
（第７実施形態）
第１実施形態から第６実施形態では、シート劣化度はシートに印刷された状態をスキャナセンサ９で読み込み、制御部１４（プロセッサ８）で計算することで求めている。すなわち、記録媒体再生装置１００がシート上に印刷された情報に基づきシート劣化度を計算している。しかし、シート種類、印刷時の温度・湿度、スキャナの色むら、個体差など様々な要因により求められるシート劣化度に誤差が生じる場合がある。
【０１０５】
第７実施形態では、画像形成装置が、印刷する前の電子データからトナー付着量を算出し、その付着量をシート劣化度として消色トナーを用いて印刷する。付着量の表し方としては数字で示しても良いし、バーコード・ＱＲコードなどの機械読み取りが可能なコードマークを用いても良い。
【０１０６】
図２８に第７実施形態の画像形成装置の一例を示す。画像形成装置５００は、原稿シートを読み取る原稿読取部Ｒ、原稿読取部Ｒで読み取られる原稿像や、他の機器より受信する画像データをシートに形成する像形成部Ｐを有する。また、画像形成装置５００は、装置内の各ハードウェアを統括制御する制御ボード１１０を有し、制御ボード１１０は、演算処理装置であるプロセッサ１１１、不揮発性記憶装置や揮発性記憶装置であるメモリ１１２を具備する。
【０１０７】
ここで、複写動作にしても印刷動作にしても入力画像信号に対して種々の画像処理を制御ボード１１０で施した後に、誤差拡散などに代表される階調処理を施した画像信号が生成され、像形成部Ｐに送信される。この階調処理後の画像に対して、制御ボード１１０は、下式を当てはめることでトナー付着量Ｒを算出する。
Ｒ＝Σ（αＣ＋βＭ＋γＹ＋δＫ）
ここで、Ｃ、Ｍ、Ｙ、Ｋはそれぞれ階調処理後の画像の各画素のＣＭＹＫ値、α、β、γ、δは予め決めておいた重み定数とする。Σにより画像全面画素の総和を求める。
ここで求めたトナー付着量を、制御ボード１１０はシート劣化度として階調処理後の画像に重畳してから像形成部Ｐに送信する。重畳の具体例を図２９Ａ〜図２９Ｃに示す。図２９Ａが原画像である。図２９Ｂが数値を直接埋め込む例であり、制御ボード１１０が数字を記載する箇所を予め白く塗りつぶした後に数値を重畳する。図２９Ｃが数値をコード化してから埋め込んだ例であり、制御ボード１１０がコード画像を印刷する箇所を白く塗りつぶした後にコード画像を描画する。
【０１０８】
なお、第７実施形態においては数値を直接書き込む場合も、コード画像を書き込む場合も、原画像の内容を考慮せず固定位置に書き込んでいる。しかし、公知の技術を用いて、原画像内の空白領域を探索して、その空白領域に印刷するようにしても良い。
【０１０９】
図２９Ｂ、図２９Ｃで示した、画像劣化度が印刷されているシートが記録媒体再生装置に入力された場合は、第１実施形態〜第６実施形態で説明したように、第１、第２の画像読取部３１、３２により読み取った画像信号から制御部１４（プロセッサ８）によりシート劣化度を算出するのではなく、シートに直接書き込まれている数値やＱＲコードからシート劣化度を取得して、そのシート劣化度を示すマークを消去不可能なトナーで改めて印刷する。なお、図２９Ｂで示したように画像劣化度が数値で直接記載されている場合はＯＣＲ技術を用い、また図２９Ｃで示したように画像劣化度がコード画像で記載されている場合にはコード画像のデコード技術を用いることで画像劣化度を正確に読み取ることが可能である。ＯＣＲ技術もコード画像のデコード技術も公知の技術であるのでここでは詳細説明は割愛する。
【０１１０】
上記例では、シート劣化の度合いを数値やＱＲコードで当該シート上に印刷する実装例について説明したが、画像形成装置５００が上記第１実施形態〜第６実施形態で説明した矢印や同心円で印刷する実装でもよい。この場合は、マークは消色されないトナーで印刷される。
【０１１１】
以上で説明したとおり、第７実施形態によれば、シート劣化度をスキャナで読み取った画像からプロセッサで計算して求めるのではなく、予め画像形成装置にて正確に算出され、記録されたシート劣化度を読み取ることにより、より高精度にシート劣化度を再利用シートに記録することが可能である。
【０１１２】
第１実施形態の記録媒体再生装置によれば、使用者が特定の機器を用いずにシートの劣化度合いを判別することができる。また、第２実施形態の記録媒体再生装置によれば、第１実施形態では必要であった消去後の画像読取を実施せずに、使用者が特定の機器を用いずにシートの劣化度合いを判別することができる。また、第３実施形態の記録媒体再生装置によれば、シートを領域に分割して領域ごとのシート劣化度合いを示すことができるので、より正確に使用者がシートの劣化度合いを判別することができる。
【０１１３】
第４実施形態の記録媒体再生装置によれば、シートの劣化度合いにより排出先トレイを切り替えたり、また、常に同じ方向にシート劣化の軽微な面を向かせてトレイに排出したりすることが可能である。よって、使用者が次に印刷する際に、用途に応じて再利用シート、あるいは、再利用面を簡単に選択することが可能となる。
【０１１４】
また第５実施形態により、印刷、消去を繰り返したシートが再利用可能か否かを、使用者が何の機器も使用せずに、更に直感的に理解することが可能となる。第６実施形態により、ユーザが再利用可能か否かの判定基準を調整することが可能となる。第７実施形態により、画像形成時の情報をシートの印刷時に埋め込んでおくことで、より正確に劣化度合いを記録することが可能となる。
【０１１５】
また上記各実施形態では、記録媒体再生装置（消色装置）、画像形成装置に実装する例を説明したが、各実施形態で説明した機能を有するマーク形成装置として提供されてもよい。このようなマーク形成装置は、ハードウェアとして、制御部１４（プロセッサ８、記録部１３）や制御ボード１１０（プロセッサ１１１、メモリ１１２）などの制御ユニット、マーク印刷部９Ａや像形成部Ｐなどのプリンタユニット、スキャナセンサ９や原稿読取部Ｒのようなスキャンユニットを少なくとも有し、上記各実施形態で説明した機能ブロックを実現する。
【０１１６】
上記各実施形態で説明した実装を、互いに複数組み合わせて、記録媒体再生装置（消色装置）、画像形成装置、マーク形成装置として提供されてもよい。
【０１１７】
上記各実施形態で示した数式等は、あくまで一例であり、様々な実装が可能である。
上記各実施形態では、色材付着量に応じた形状の所定マークを形成する例を説明し、形状の一例として、矢印や円のマークを示した。また、色材付着量に応じた形状の一例として、矢印の長さ（色材付着量に応じて長さが異なる）や円の半径長さ（色材付着量に応じて半径長が異なる）を示した。
【０１１８】
以上に詳述したように、この明細書に記載の技術によれば、複数回使用によるシートの劣化度合いを、使用者が用いるシートの上に印刷することが可能となるため、シート劣化についての情報を使用者に容易に提供でき、使用者も容易に確認することが可能となる。
【０１１９】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【０１２０】
１  ＩＣカードリーダ、２  タッチパネル式操作部、３  ボタン式操作部、４  表示部、５  消去可否判定部、６  消去部、７  リユース判定部、８  プロセッサ、９  スキャナセンサ、９Ａ  マーク印刷部、１０  リユースシート供給カセット、１１  リユースシートスタックカセット、１２  リジェクトシートスタックカセット、１３  記憶部、１４  制御部、２０  外部装置、３１  第１の画像読取部、３２  第２の画像読取部、３３  画像劣化検出部、３４  劣化マーク検出部、３５  劣化マーク記録部、１００  記録媒体再生装置。
【図１】
0005580859.tif 000002
【図２】
0005580859.tif 000003
【図３】
0005580859.tif 000004
【図４】
0005580859.tif 000005
【図５】
0005580859.tif 000006
【図６】
0005580859.tif 000007
【図７】
0005580859.tif 000008
【図８】
0005580859.tif 000009
【図９】
0005580859.tif 000010
【図１０】
0005580859.tif 000011
【図１１】
0005580859.tif 000012
【図１２】
0005580859.tif 000013
【図１３】
0005580859.tif 000014
【図１４】
0005580859.tif 000015
【図１５】
0005580859.tif 000016
【図１６】
0005580859.tif 000017
【図１７】
0005580859.tif 000018
【図１８】
0005580859.tif 000019
【図１９】
0005580859.tif 000020
【図２０】
0005580859.tif 000021
【図２１】
0005580859.tif 000022
【図２２】
0005580859.tif 000023
【図２３】
0005580859.tif 000024
【図２４】
0005580859.tif 000025
【図２５】
0005580859.tif 000026
【図２６】
0005580859.tif 000027
【図２７】
0005580859.tif 000028
【図２８】
0005580859.tif 000029
【図２９】
0005580859.tif 000030